(57)【要約】【課題】伏臥姿勢を採る使用者の頭部を、３つの枕でバランスよく支えて安定性がよく、下向きの顔回りは解放感もあって使い勝手のよい伏臥姿勢用枕を提供する。【解決手段】伏臥姿勢を採る使用者の額ａ、片方の頬ｂ及び顎ｃの３個所に同時に当てられて頭部を支える額当て枕２、頬当て枕３及び顎当て枕４を、座板１上に位置決めして配置した。【選択図】        図１
2005021533.tif 000002
【特許請求の範囲】
【請求項１】
伏臥姿勢を採る使用者の額、片方の頬及び顎の３個所に同時に当てられて頭部を支える額当て枕、頬当て枕及び顎当て枕を、座板上に位置決めして配置したことを特徴とする伏臥姿勢用枕。
【請求項２】
顎当て枕は変形自在に形成し、使用中にも使用者により高さと顎への当たり具合が変えられるようにしたことを特徴とする請求項１記載の伏臥姿勢用枕。
【発明の詳細な説明】
【発明の属する技術分野】
本発明は、使用者が伏臥姿勢を採って使用する伏臥姿勢用枕に関するものである。
【従来の技術】
例えば、目の手術（網膜剥離等）を受けた患者は、一定の治療期間（１〜２週間程度）は、寝ている時も顔を伏せる伏臥姿勢を採ることが求められることがある。このように伏臥姿勢を採らなければならない患者の頭部を支えるのに、従来より、部厚めのスポンジ材で作られていて、顔の輪郭に合わせて刳り貫き穴を設けた頭部支持具が提案されている。
この頭部支持具は、使用者（患者）がベット上で伏臥姿勢を採る時に、刳り貫き穴の部分に使用者の顔を入れて顔回りを穴縁部に当てて頭部を支え、顔面をベット上に浮かせるようにしたものである。
【発明が解決しようとする課題】
ところが、前記するようなスポンジ材からなる頭部支持具は、使用者の顔回りが穴縁部に弾力的に当てられて頭部を支えるために、頭部のちょっとした動きでも支持具が変形して頭部を安定させることができず、どうしても首筋や肩に無理な力が掛かるようになり、睡眠を採り難くする。また、ベット上で使用する場合、下向きの状態で呼吸をするために、顔回りを取り巻く支持具をベット上に浮かしてベット間に形成する隙間からの呼吸は、通気性が悪くて呼吸がし難く、さらには、目の手術を受けた患者が使用する時は、目を覆う眼帯が支持具に触れて眼帯が外れるようなことも起き易く、使い勝手が悪いものである。
そこで、本発明の課題は、伏臥姿勢を採る使用者の頭部を、３つの枕でバランスよく浮き沈みなく支えて安定性がよく、下向きの顔回りは解放感もあって使い勝手のよい伏臥姿勢用枕を提供することにある。
【課題を解決するための手段】
上記する課題を解決するために、本発明に係る伏臥姿勢用枕は、伏臥姿勢を採る使用者の額、片方の頬及び顎の３個所に同時に当てられて頭部を支える額当て枕、頬当て枕及び顎当て枕を、座板上に位置決めして配置したことを特徴とする。
ここで、額当て枕と頬当て枕の上層部は、粒状枕材類を詰める等してある程度の硬さがあって肌当たりを良くし、使用者によって両枕の高さは調整されて、所定の高さを保つようにする。また、顎当て枕は、所定の高さを有するが、変形自在に形成し、顎はある程度沈み込ませて支えるようにし、使用中にも使用者により高さと顎への当たり具合の変更が簡単にできるように構成される。
このように構成された本発明の伏臥姿勢用枕によれば、使用前に、予め、使用者が伏臥姿勢を採って見て、座板に対する各枕の位置決めと、各枕の高さ調整を行って使用に供する。こうして、座板上に顔を伏せると、額と片方の頬と顎が同時に３つの枕に当てられて頭部の重みは３つの枕にバランスよく分散されて支えられ安定する。すなわち、顔の中心線上で額と顎が額当て枕と顎当て枕に当てられて支えられ、そのまま頭部が僅かに横に傾けた状態で片方の頬が頬当て枕に凭れ掛けるように当てられて支えられる。こうして頭部は３つの枕による３点支持によりふらつきなく安定する。従って、使用者は首筋や肩に無理な力を掛けずに頭部の重みを３つの枕に預けた状態で睡眠を採ることができる。
また、使用時に、下向きになっている使用者の顔と座板間には、顔の片側に完全に開放された空間が形成されるので、解放感もあって呼吸も普通にできる。
また、目の手術を受けた患者が使用する時は、予め、手術を受けた目とは反対側の頬に頬当て枕が当てられるように設定すると、頬当て枕は、手術した目を覆う眼帯からは大きく離されるので、患者が伏臥姿勢を採って寝ている間に、無意識のうちに頭部の動きがあっても、手術した目を覆う眼帯が頬当て枕に触れるような恐れはなく、安心して睡眠を採ることができる。
また、３つの枕からなる本発明に係る伏臥姿勢用枕によって頭部を支える場合に、額当て枕の荷重負担が最も大きいものである。そこで、長時間の使用で額当て枕に当たる額の位置を変えたり（ずらしたり）すると、顔の同じ中心線上にある顎当て枕との荷重負担のバランスが崩れてくる。このような時は、顎当て枕から顎を軽く浮かせて顎当て枕に力を掛けない状態で、使用者の手で適宜に顎当て枕を変形させて高さ調整と顎への当たり具合を変えることで、額当て枕との荷重バランスの崩れを簡単に是正することができる。
なお、本発明に係る伏臥姿勢用枕では、額当て枕、頬当て枕及び顎当て枕を、座板上に位置決めして配置するのに、各枕の座板に対する取着構成については、特に、制約はないが、例えば、座板面と各枕の底面に面ファスナーを張設した構成にすると、座板面に対する各枕の位置決めが簡単にできる。
【発明の実施の形態】
以下、本発明の実施の形態を図面に基づいて具体的に説明する。
図１は本発明の実施の形態を示す伏臥姿勢用枕の全体斜視図、図２は本発明に係る伏臥姿勢用枕の各枕に当てられる使用者の顔面の位置を示す人の顔の正面図である。
図１において、１は座板、２は額当て枕、３は頬当て枕、４は顎当て枕を示す。
これらの額当て枕２、頬当て枕３及び顎当て枕４は、座板１上に位置決めして配置され、伏臥姿勢を採る使用者の額ａ、片方の頬ｂ及び顎ｃ（図２参照。）の３個所に同時に当てられて頭部を支えるものである。
座板１は、プラスチック製の板材等で作られており、ベット上で使用して使用者の頭部を支えて変形を起こさない程度の硬さがあり、また、使用者の頭部を支えてベット上で座板１が移動したり、揺動したりすることのない大きさのものである。座板１面には、各枕２，３，４を位置決めして配置するために、実施の形態では、汎用の面ファスナーを構成する一方の接着布５を全面的に張設し、各枕２，３，４の下面に、面ファスナーの他方の接着布（図示せず）を張設している。
額当て枕２と頬当て枕３は、その上層部２ａ，３ａに粒状枕材類を詰める等してある程度の硬さがあって肌当たりをよくするようにし、また、両枕２、３は、高さ調整のために、実施の形態では、上下分割構成にして体内にあってねじ棒と雌ねじ部材との螺合構成からなるような高さ調整機構（図示せず）が組み込まれ、高さ調整が簡単にできるようにしている。
顎当て枕４は、所定の高さを有するが、顎はある程度沈み込ませて支えるようにしたもので、この顎当て枕４は、使用中に使用者の手で簡単に高さと顎ｃへの当たり具合の変更ができるようにしている。このために、実施の形態では、顎当て枕４の外被シート６の適所に開口部７を設け、この開口部７から使用者の手で枕内に適宜の詰め物８、例えば、帯状布片や粒状の枕材等を出し入れして高さの調整と顎ｃへの当たり具合の変更ができるようにしている。
上記構成において、本発明に係る伏臥姿勢用枕を、例えば、片方の目の手術を受けた患者（使用者）がベット上で使用する時は、患者は使用前に伏臥姿勢を採り、座板１上に顔を伏せて見て、座板１に対する額当て枕２、頬当て枕３及び顎当て枕４の位置決めと高さ調整を行う。頬当て枕３は手術した目の反対側の頬に当てられるようにする。
ここで、額当て枕２と頬当て枕３の位置決めと高さ調整を行った後に、顎当て枕４の位置決めと高さ調整を行う。ここでの顎当て枕４の高さ調整は、実際の使用時と同じように、患者が座板１上に顔を伏せて額ａと片方の頬ｂと顎ｃの３個所に各枕２、３、４を同時に当てた状態で微調整的に行う。すなわち、顎当て枕４から顎ｃだけを軽く浮かせて開口部７から枕内に詰め物８を出し入れして、顎ｃを支える上で、額当て枕２との荷重バランスが採れるように調整する。
こうして、患者が伏臥姿勢を採って座板１上に顔を伏せる時は、患者の額ａと片方の頬ｂと顎ｃの３個所に各枕２、３、４が同時に当てられて頭部はバランスよく支えられ、首筋や肩に無理な力を掛けずに睡眠を採ることができる。また、頬当て枕３の反対側に開放された広々とした空間を形成するので、ここから普通に呼吸ができて開放感も向上する。また、手術した目を覆う眼帯と頬当て枕３は大きく離されるので、患者が寝ている間に無意識のうちに頭部が動いて眼帯が外れるようなこともない。また、顎当て枕４の高さ調整と顎への当たり具合の変更は、使用中にも使用者の手で簡単にできて額当て枕２との荷重バランスの崩れを簡単に是正できるので、長時間の使用にも便利なものである。
【発明の効果】
本発明に係る伏臥姿勢用枕によれば、座板上に位置決めして配置した３つの枕によって、伏臥姿勢を採る使用者の頭部をバランスよく支えるようにしたので、使用者は首筋や肩等に無理な力を掛けずに睡眠を採ることができる。また、使用者の下向きの顔と座板間には、顔の片側に解放された広々とした空間が形成されるので、ここから呼吸も普通にでき、解放感も向上できる。さらに、目を手術した患者が使用して、患者の頭部が無意識のうちに動くことがあっても、目を覆う眼帯が枕に触れる恐れがないので、安心して睡眠を採ることができる。
【図面の簡単な説明】
【図１】本発明の実施の形態を示す伏臥姿勢用枕の全体斜視図である。
【図２】本発明に係る伏臥姿勢用枕の各枕に当てられる顔面の位置を示す人の顔の正面図である。
【符号の説明】
１  座板
２  額当て枕
３  頬当て枕
４  顎当て枕
５  接着布
８  詰め物
【図１】
2005021533.tif 000003
【図２】
2005021533.tif 000004